(57)【要約】【課題】身体の汚れに対する拭き取り性能を高めることができる清拭用手袋を提供することを課題とする。【解決手段】拭き取り面１１を有する手袋本体１０からなる清拭用手袋１Ａであって、手袋本体１０は、不織布である複数のシート２０，２０の側部同士を接合して筒状に形成されており、シート２０，２０同士の側部接合部１２が拭き取り面１１に配置されている。また、手袋本体１０は、不織布である一枚のシート２０を折り返して形成することもできる。【選択図】図２
2015047461.tif 000002
【特許請求の範囲】
【請求項１】
拭き取り面を有する手袋本体からなる清拭用手袋であって、
前記手袋本体は、不織布である複数のシートの側部同士を接合して筒状に形成されており、
前記シート同士の接合部が前記拭き取り面に配置されていることを特徴とする清拭用手袋。
【請求項２】
拭き取り面を有する手袋本体からなる清拭用手袋であって、
前記手袋本体は、不織布である一枚のシートを折り返して筒状に形成されており、
前記シートの一方の側部と他方の側部とを接合した接合部が前記拭き取り面に配置されていることを特徴とする清拭用手袋。
【請求項３】
前記手袋本体の先端側の部位には、前記拭き取り面側の前記シートと、前記拭き取り面側の反対側の前記シートと、を手の挿入方向に沿って接合した仕切り部が形成され、
前記仕切り部によって前記手袋本体の内部が幅方向に仕切られていることを特徴とする請求項１または請求項２に記載の清拭用手袋。
【請求項４】
前記手袋本体の前記拭き取り面には、前記シートを貫通した位置決め穴が形成されていることを特徴とする請求項１または請求項２に記載の清拭用手袋。
【発明の詳細な説明】
【技術分野】
【０００１】
本発明は、身体を拭くための清拭用手袋に関する。
【背景技術】
【０００２】
身体の汚れを拭き取るための清拭用手袋としては、不織布である二枚のシートの両側部および先端部を熱融着（ヒートシール）した袋状の手袋本体が形成されているものがある（例えば、特許文献１参照）。このような清拭用手袋は、高齢者や病人等の介護において好適に使用される。
【先行技術文献】
【特許文献】
【０００３】
【特許文献１】特許第４４２２９３１号公報
【発明の概要】
【発明が解決しようとする課題】
【０００４】
前記した従来の清拭用手袋では、手袋本体に手を挿入すると、掌側および手の甲側にそれぞれ一枚のシートが配置され、身体の汚れを拭き取る際には、掌側のシートの平坦な面を利用する。このような従来の清拭用手袋では、身体の汚れに対する拭き取り性能を高めることが望まれている。
【０００５】
そこで、本発明は、身体の汚れに対する拭き取り性能を高めることができる清拭用手袋を提供することを課題とする。
【課題を解決するための手段】
【０００６】
前記課題を解決するため、本発明は、拭き取り面を有する手袋本体からなる清拭用手袋であって、前記手袋本体は、不織布である複数のシートの側部同士を接合して筒状に形成されており、前記シート同士の接合部が前記拭き取り面に配置されている。
【０００７】
本発明の他の構成は、拭き取り面を有する手袋本体からなる清拭用手袋であって、前記手袋本体は、不織布である一枚のシートを折り返して筒状に形成されており、前記シートの一方の側部と他方の側部とを接合した接合部が前記拭き取り面に配置されている。
【０００８】
本発明では、手袋本体の拭き取り面に接合部が配置されることで、拭き取り面に凸条が形成される。そして、手袋本体の拭き取り面によって身体を拭いたときに、接合部によって身体の汚れが掻き落とされるため、身体の汚れを確実に拭き取ることができる。
また、接合部は拭き取り面の先端部から基端部に亘って配置されるため、手袋本体を幅方向に移動させて身体を拭いたときに、接合部全体によって汚れを掻き落とすことができる。
【０００９】
また、一枚のシートを折り返して手袋本体を形成した構成では、シートを貼り合せるために必要な面積を小さくすることができるため、材料を節約することができる。
【００１０】
前記した清拭用手袋において、前記手袋本体の先端側の部位には、前記拭き取り面側の前記シートと、前記拭き取り面側の反対側の前記シートと、を手の挿入方向に沿って接合した仕切り部を形成することが望ましい。この仕切り部によって前記手袋本体の内部が幅方向に仕切られる。
【００１１】
この構成では、手袋本体の基端部から手を挿入し、仕切り部によって仕切られた左右の空間に手の各指を分けて入れると、手袋本体の左右の側部が手の親指側および小指側にそれぞれ配置され、接合部が掌側に配置される。これにより、清拭用手袋の使用時に接合部の位置がずれ難くなるので、接合部が掌側に配置される最適な状態を維持しつつ、清拭用手袋を使用することができる。
【００１２】
前記した清拭用手袋において、前記手袋本体の前記拭き取り面には、前記シートを貫通した位置決め穴を形成することが望ましい。
【００１３】
この構成では、手袋本体の基端部から手を挿入し、手の指を位置決め穴に挿入すると、手袋本体の左右の側部が手の親指側および小指側にそれぞれ配置され、接合部が掌側に配置される。これにより、清拭用手袋の使用時に接合部の位置がずれ難くなるので、接合部が掌側に配置される最適な状態を維持しつつ、清拭用手袋を使用することができる。
【発明の効果】
【００１４】
本発明の清拭用手袋では、拭き取り面の接合部によって身体の汚れが掻き落とされ、身体の汚れを確実に拭き取ることができるため、身体の汚れに対する拭き取り性能を高めることができ、身体を清潔に拭き上げることができる。
【図面の簡単な説明】
【００１５】
【図１】本実施形態の清拭用手袋を示した平面図である。
【図２】本実施形態の清拭用手袋を示した斜視図である。
【図３】本実施形態の清拭用手袋を示した図で、（ａ）は図１のＡ−Ａ断面図、（ｂ）は図１のＢ−Ｂの断面図である。
【図４】本実施形態の清拭用手袋の製造工程を示した図で、（ａ）は両シートを重ね合わせる工程の斜視図、（ｂ）は両シートを接合する工程の斜視図である。
【図５】本実施形態の清拭用手袋の他の構成を示した図で、（ａ）は位置決め穴を形成した構成の平面図、（ｂ）は側部接合部を波状に形成した構成の斜視図である。
【図６】本実施形態の清拭用手袋の他の構成を示した図で、一枚のシートを用いた構成の斜視図である。
【発明を実施するための形態】
【００１６】
本発明の実施形態について、適宜図面を参照しながら詳細に説明する。
本実施形態の清拭用手袋１Ａは、図１に示すように、高齢者や病人等の身体の汚れを拭き取る際に使用するものであり、使用者の手２に装着して使用する。
清拭用手袋１Ａは、袋状の手袋本体１０からなる（図２参照）。使用者は手袋本体１０に手２を挿入し、拭き取り面１１を利用して身体の汚れを拭き取る。
【００１７】
手袋本体１０は、図２に示すように、不織布である二枚のシート２０，２０の側部同士および先端部同士を接合して袋状に形成されている。手袋本体１０の基端部には挿入口１４が開口している。
手袋本体１０は、幅方向（左右方向）の長さよりも、先端部から基端部までの長さが大きく形成されている。
【００１８】
不織布であるシート２０は、コットン、パルプおよびレーヨン等の吸水性を有する繊維によって構成されている。二枚のシート２０，２０は同じ大きさの長方形に形成されている（図４（ａ）参照）。シート２０の外面の構成やシート２０を構成する繊維の材質等は限定されるものではないが、汚れの拭き取り性能や肌触り等を考慮して、吸水性や柔軟性を有するものを使用する。
【００１９】
手袋本体１０には、両シート２０，２０の側部同士を熱融着（ヒートシール）することで二つの側部接合部１２，１２が形成されている。本実施形態では、両シート２０，２０の側縁部よりも内側を、両シート２０，２０の側縁部に沿って直線状に熱融着しているため、側部接合部１２の縁部の柔軟性が保たれている。
【００２０】
手袋本体１０には、両シート２０，２０の先端部同士を熱融着することで先端接合部１３が形成されている。本実施形態では、両シート２０，２０の先端縁部よりも内側を、両シート２０，２０の先端縁部に沿って直線状に熱融着しているため、先端接合部１３の縁部の柔軟性が保たれている。
【００２１】
手袋本体１０は、左右の側縁部（左右の折線Ｌ，Ｌ）において両シート２０，２０を折り曲げることで、平坦に折り畳まれている。これにより、図３（ａ）に示すように、手袋本体１０には、二つの拭き取り面１１，１１が形成されている。
【００２２】
両拭き取り面１１，１１には、両側部接合部１２，１２がそれぞれ配置されている。図１に示すように、手袋本体１０を平面視したときに、側部接合部１２は手袋本体１０の幅方向の中央に対して左側に配置されている。
側部接合部１２は、手袋本体１０の側縁部に沿って、拭き取り面１１の先端部から基端部に亘って配置されている。
【００２３】
手袋本体１０の先端側の部位において、幅方向の中央には、一方の拭き取り面１１側のシート２０と、他方の拭き取り面１１側のシート２０とを熱融着した仕切り部１５が形成されている。
【００２４】
仕切り部１５は、手袋本体１０の先端縁部および基端縁部に対して直交する方向（手袋本体１０の長手方向）に直線状に延在している。すなわち、手２の挿入方向に沿って形成されている。
仕切り部１５は、手袋本体１０の長手方向の中央よりも先端側に形成されている。そして、手袋本体１０の先端側の内部には、図３（ｂ）に示すように、仕切り部１５によって幅方向に仕切られた左右二つの空間が形成されている。
【００２５】
次に、本実施形態の清拭用手袋１Ａの製造工程について説明する。
まず、図４（ａ）に示すように、二枚のシート２０，２０を重ね合わせる。その後、図４（ｂ）に示すように、両シート２０，２０の左右の側部および先端部を接合し、左右の側部接合部１２，１２および先端接合部１３を形成する。
【００２６】
なお、長尺な二枚のシート２０，２０を重ね合わせ、左右の側部接合部１２，１２および先端接合部１３を形成した後に、一体の手袋本体１０を構成する大きさに両シート２０，２０を切断してもよい。
【００２７】
続いて、両シート２０，２０のうち、図４（ｂ）において上側のシート２０に、右側の側縁部に沿って折線Ｌを設定する。この折線Ｌはシート２０の幅方向の中央と右側の側部接合部１２との間に配置されている。
また、両シート２０，２０のうち、図４（ｂ）において下側のシート２０には、左側の側縁部に沿って折線Ｌ（図３（ａ）参照）を設定する。この折線Ｌはシート２０の幅方向の中央と左側の側部接合部１２との間に配置されている。
【００２８】
そして、図３（ａ）に示すように、両シート２０，２０を両折線Ｌ，Ｌによって折り曲げ、両シート２０，２０を平坦に折り畳む。これにより、筒状に接合された両シート２０，２０に二つの拭き取り面１１，１１が形成される。また、両拭き取り面１１，１１には両側部接合部１２，１２がそれぞれ配置される。
【００２９】
さらに、図１に示すように、手袋本体１０の先端側の部位において、一方の拭き取り面１１側のシート２０と、他方の拭き取り面１１側のシート２０とを接合して仕切り部１５を形成する（図３（ｂ）参照）。これにより、手袋本体１０が完成し、清拭用手袋１Ａの製造が完了する。
【００３０】
以上のような清拭用手袋１Ａでは、図２に示すように、手袋本体１０の拭き取り面１１に側部接合部１２が配置されることで、拭き取り面１１に凸条が形成される。そして、手袋本体１０の拭き取り面１１によって身体を拭いたときに、側部接合部１２によって身体の汚れが掻き落とされるため、身体の汚れを確実に拭き取ることができる。
【００３１】
また、側部接合部１２は、図１に示すように、拭き取り面１１の先端部から基端部に亘って配置されるため、手袋本体１０に挿入した手２を横方向に移動させて身体を拭いたときに、側部接合部１２全体によって汚れを掻き落とすことができる。
【００３２】
このように、清拭用手袋１Ａでは、拭き取り面１１の側部接合部１２によって身体の汚れが掻き落とされ、身体の汚れを確実に拭き取ることができるため、身体の汚れに対する拭き取り性能を高めることができ、身体を清潔に拭き上げることができる。
【００３３】
また、清拭用手袋１Ａでは、手袋本体１０の挿入口１４から手２を挿入し、仕切り部１５によって仕切られた左右の空間に手２の各指を分けて入れると、手袋本体１０の左右の側部が手２の親指側および小指側にそれぞれ配置され、側部接合部１２が掌側に配置される（図２参照）。これにより、清拭用手袋１Ａの使用時に側部接合部１２の位置がずれ難くなるので、側部接合部１２が掌側に配置される最適な状態を維持しつつ、清拭用手袋１Ａを使用することができる。
【００３４】
以上、本発明の実施形態について説明したが、本発明は前記実施形態に限定されることなく、その趣旨を逸脱しない範囲で適宜に変更が可能である。
本実施形態の清拭用手袋１Ａでは、図３（ａ）に示すように、側部接合部１２が手袋本体１０の幅方向の中央に対して左右方向にずれているが、側部接合部１２を手袋本体１０の幅方向の中央に配置してもよい。
【００３５】
また、本実施形態の手袋本体１０では、図２に示すように、両シート２０，２０の先端部が接合されているが、両シート２０，２０の先端部を接合しなくてもよい。すなわち、手袋本体１０を先端部および基端部が開口した筒状に形成してもよい。
【００３６】
また、本実施形態の手袋本体１０では、二枚のシート２０，２０によって手袋本体１０が形成されているが、二枚以上のシート２０を接合することで手袋本体１０を形成してもよい。二枚以上のシート２０を用いた場合には、側部接合部１２が三つ以上形成されることになる。
【００３７】
また、本実施形態の手袋本体１０では、両拭き取り面１１，１１に両側部接合部１２，１２がそれぞれ配置されているが、一方の拭き取り面１１に複数の側部接合部１２を配置してもよい。
【００３８】
また、本実施形態の手袋本体１０では、図１に示すように、仕切り部１５が手袋本体１０の幅方向の中央に配置されているが、仕切り部１５を手袋本体１０の幅方向の中央から左右方向にずらしてもよい。
また、本実施形態の手袋本体１０では、一つの仕切り部１５が形成されているが、手袋本体１０に複数の仕切り部１５を形成し、手袋本体１０の内部を二つ以上に仕切るように構成してもよい。なお、手袋本体１０に仕切り部１５を形成しなくてもよい。
【００３９】
また、本実施形態の仕切り部１５に代えて、図５（ａ）に示すように、手袋本体１０の手の甲側の拭き取り面１１にシート２０を貫通した位置決め穴１６を形成してもよい。
この構成では、手袋本体１０の挿入口１４から手２を挿入し、手２の何れかの指を位置決め穴１６に挿入すると、手袋本体１０の左右の側部が手２の親指側および小指側にそれぞれ配置されるため、側部接合部１２を掌側に配置することができる。
なお、拭き取り面１１に複数の位置決め穴１６を形成してもよい。また、仕切り部１５（図１参照）と併用して位置決め穴１６を形成してもよい。
【００４０】
また、図５（ｂ）に示すように、側部接合部１２の側縁部を波状に形成してもよい。この構成では、側部接合部１２の肌触りを良くすることができる。なお、側部接合部１２の側縁部の形状は限定されるものではなく、例えば、複数の切り込みを形成してもよい。
【００４１】
また、本実施形態の手袋本体１０では、図２に示すように、二枚のシート２０，２０の先端部および側部を熱融着しているが、縫合や接着剤によって二枚のシート２０，２０を接合してもよい。
【００４２】
また、図６に示す清拭用手袋１Ｂのように、手袋本体１０を一枚のシート２０によって形成してもよい。
清拭用手袋１Ｂの手袋本体１０は、一枚のシート２０を折り返して形成されている。そして、一枚のシート２０の一方の側部と他方の側部とを接合した側部接合部１２が一方の拭き取り面１１に配置されている。
この清拭用手袋１Ｂでは、一枚のシート２０を折り返して手袋本体１０を形成しているため、シート２０を貼り合せるために必要な面積（重ね代）を小さくすることができ、材料を節約することができる。
【符号の説明】
【００４３】
１Ａ，１Ｂ    清拭用手袋
２      手
１０    手袋本体
１１    拭き取り面
１２    側部接合部
１３    先端接合部
１４    挿入口
１５    仕切り部
１６    位置決め穴
２０    シート
Ｌ      折線
【図１】
2015047461.tif 000003
【図２】
2015047461.tif 000004
【図３】
2015047461.tif 000005
【図４】
2015047461.tif 000006
【図５】
2015047461.tif 000007
【図６】
2015047461.tif 000008